(57)【特許請求の範囲】
【請求項１】
風化した珊瑚を焼成した風化珊瑚微細粒、より構成されることを特徴とした摩擦力等の動的外力が存在する箇所に用いる風化珊瑚利用の消臭剤。
【請求項２】
風化した珊瑚を焼成した風化珊瑚微細粒が水に混入されたもの、より構成されることを特徴とした摩擦力等の動的外力が存在する箇所に用いる風化珊瑚利用の消臭剤。
【発明の詳細な説明】
【０００１】
【発明の属する技術分野】
本発明は、広くは悪臭気の消臭剤に関するものであり、特に摩擦力等の動的外力が存在する箇所に用いる消臭剤に関するものである。就中、ゴムや皮や布やポリエステルを材料とした一般の靴とか運動靴とか登山靴や作業靴に発生する足やスポーツ着等の身体の臭いを消す消臭剤に関するものである。
【０００２】
【従来の技術】
人が悪臭と思う足の臭いは酸化した汗の臭気が主であるが、それが履物の材料や靴下の中まで入り込んで、臭いを発生している。特に発汗量が多い人の場合、自分はもちろん、周りの人々に対して不愉快の気持ちを与える。従来より、室内空間における臭いを消すために、換気扇による換気法、噴霧剤による吸収法、活性炭による吸着法、オゾンによる触媒反応法、人工酵素による生物学的な法、芳香剤法などがある。
【０００３】
【発明が解決しようとする課題】
靴や靴下のように密着や密閉状態の場合、不通風と発汗による高湿気などで、化学的な噴霧剤や芳香剤では、瞬間的な効果はあるが、悪臭気を持続的に消す効果はない。従来、この持続的な効果のために靴の内底剤と靴下の繊維に活性炭や人工酸素などを入れる方法や材料があるが、密閉空間の足の臭いの消臭に対する長時間持続効果が確認されていない。
【０００４】
本発明の主たる目的は、酸性化発汗による発臭分子と湿気に対する吸水性と、摩擦及び圧力による負イオン空気発生による界面活性作用による脱臭性を備えた風化珊瑚微細粒を材料とした消臭剤を提供することである。また、発汗性の悪臭ばかりでなく、摩擦力等の動的外力が存在する身体以外のものに用いる消臭剤の提供でもあり、湿気のあるところには粉状のものを、そして湿気はないが加湿してもよいものには水溶液状のものを提供することである。
【０００５】
【課題を解決するための手段】
上記目的を達成するため、本発明にかかる摩擦力等の動的外力が存在する箇所に用いる風化珊瑚利用の消臭剤は、風化珊瑚微細粒が微弱な外部的な動的圧力（摩擦力など）と水分の間で生じる相互作用による吸水性と、水分子と珊瑚の炭酸カルシウムとのラジカル反応から生じる負イオンの界面活性作用による脱臭性を利用するものである。具体的には、風化した珊瑚をもちい、これを焼成した風化珊瑚微細粒であり、その請求項２の発明は、水分のない対象物用に、この風化した珊瑚を焼成した風化珊瑚微細粒が水に混入されたものである。
【０００６】
【発明の実施の形態】
以下に、本発明にかかる摩擦力等の動的外力が存在する箇所に用いる風化珊瑚利用の消臭剤の一般的な実施の形態を述べる。風化珊瑚微細粒の造成過程を見ると、まず、海底に沈積している風化珊瑚砂利を採掘し、不純物を除去する。そして珊瑚のみの粒子の分類、真水洗浄、乾燥という段階を経て微細粒にする。その後、その微細粒を加熱・殺菌特に250〜500℃で焼成する。なお、この微細粉砕にする順序と焼成スの順序は逆であってもよい。しかして、本発明に使われた珊瑚微細粒の直径は5.5〜16μｍのものである。風化珊瑚は、いくら微細粉砕されても電子顕微鏡で観察すると、風化珊瑚の構造的な特徴である気孔構造を維持している。この気孔構造が体温と発汗から生じた臭を含んだ水分を吸着する機能を果たす。
【０００７】
【実施例】
しかして、本発明にかかる摩擦力等の動的外力が存在する箇所に用いる風化珊瑚利用の消臭剤をその具体的な実施例を用いて添付の図面と共に詳細に述べる。まず、風化珊瑚砂利１を焼成手段２にて焼成し、これを微細粉砕手段３にて粉砕する。この焼成と粉砕の順序は逆でもよい。これで、本発明の珊瑚消臭剤は出来上がる。この珊瑚消臭剤は微細粒粉剤４aであるが、靴や下着や柔道着その他のスポーツウエア等の身体等に使用するものの場合は発汗等の湿気がある故にこのままでもよいが、湿気のないものを対象に使用の場合は、この微細粒粉剤４aを水に混合して、液剤４bとするとよい。
【０００８】
しかして、具体的には、この消臭剤は、風化珊瑚砂利１を採掘し、不純物を除去して珊瑚粒子を分類する。そして、真水で洗浄し、乾燥する。さらに、加熱・殺菌特に250〜500℃で焼成する過程を経て抽出された微細粒状態のもので、珊瑚微細粒粒子の直径は、5.5〜１６μｍである。ものである。
【０００９】
かようにして、気孔構造に吸着された水分が外力、即ち足からの圧力と、圧力から生じる粒子間の摩擦力というエネルギーを受けると、水分は珊瑚微細粒内の炭酸カルシウムと作用して、ラジカルな負イオンを発生し、酸化した水分はアルカリ化し、負イオンの界面活性作用から臭成分や脂質などを分解し、臭いを除去する。
【００１０】
以下に、負イオン発生作用機序を述べる。炭酸カルシウムを含む風化珊瑚微細粒は（式１）のように外力があればカルシウムイオンと炭酸イオンに解離する。
【００１１】
【化１】
0003874563.tif 000002
【００１２】
水の分子と水素イオンと水酸イオンの間に（式２）に示した平衡が常に成立している。
【００１３】
【化２】
0003874563.tif 000003
【００１４】
足圧力と、その圧力による粒子間の摩擦力のようなエネルギーが与えられると、水分子は水のクラスター構造、即ち水の分子が複合的に付いたイオンクラスター複合体として次の（式３）で示されるように分解される。ここでＯＨ−（Ｈ２Ｏ）ｎを水付き負イオンという。
【００１５】
【化３】
0003874563.tif 000004
【００１６】
ＯＨ−は電気化学的にラジカルになるし、水分（（Ｈ２Ｏ）ｎ）の中から飛び出そうとし、水との界面活性作用を行う。例えば、ＯＨ−は悪臭の元である油脂や蛋白分子などとの間にもこのような作用をして、臭いを分解する結果をもたらす。
（久保哲治郎、固体物理、１９８９）。
【００１７】
以下に、負イオンの測定について述べる。摩擦力が与えられる珊瑚微細粒から発生したイオン量は、イオン移動度を利用したイオンカウンタ（神戸電波株式会社製ＫＳＴ−９００）により求めることができる。この測定機は１ｃｃ当たり負イオン数、正イオン数がカウンタできる。測定条件として、与えられる摩擦力は２〜１０ｄｙｎ／ｃｍ３、湿度６０％、温度２８℃、測定時間は３０分であった。
【００１８】
図２は直径が５．５〜１６μｍの珊瑚微細粒に連続的に２〜１０ｄｙｎ／ｃｍ３の摩擦力を与えたときの負イオン発生数／ｃｃを示したものである。負イオン数／ｃｃは、都市部の場合、普通８０〜１５０ｉｏｎｓ／ｃｃであり、滝や森林中が２０００〜４０００ｉｏｎｓ／ｃｃと言われるが、この発明の消臭剤は、約２１００ｉｏｎｓ／ｃｃである。負イオン空気は、新鮮な気持ち、自律神経活動の安静、学習能力の増加などに効果が知られているが、ラジカル反応で殺菌や消毒効果もあると言われてきた。
【００１９】
以下に、足の臭気の測定について述べる。臭気測定法としては、人間の嗅覚を利用する嗅覚測定法を用いた。嗅覚測定法は人間の嗅覚を利用するために、被験者の体調や嗅力の差による測定値のバラツキが問題となっているが、ビニール中の無気状態を標準臭気という閾値を設定して、２０００ｍ歩いて、多発汗直後の靴と靴下と足をビニール袋に５分間入れた後の臭気を測った。
【００２０】
表１は三点嗅覚法から、標準臭気に対して、珊瑚を使わない状態で、２０００ｍを歩いた直後の発汗状態の足と靴の中の臭気、そして本発明の珊瑚微細粒１ｇを歩く前に靴の中に入れ振りかけた後、２０００ｍを歩いた直後の発汗状態の臭気と湿度を比較した結果である。信頼性を高めるために被験者として大学生の男女２０人が参加した。結果として、珊瑚微細粒を靴の中に入れただけで、ほとんど臭いを感じなかったことが分かった。
【００２１】
本発明の風化珊瑚微細粒がもつ微細気孔構造、そして摩擦力のような外力と、体表面から発生する発汗の水分と珊瑚の炭酸カルシウムとの化学反応作用により発生した負イオン空気のラジカル反応から、靴の中と靴下と足等の密閉した空間での消臭効果を持つ珊瑚微細粒による消臭剤に関するものである。また、人間の身体に使用する物を消臭の対象にするばかりでなく、一般物を消臭の対象にすることもできる。
【００２２】
【発明の効果】
本発明にかかる摩擦力等の動的外力が存在する箇所に用いる風化珊瑚利用の消臭剤は、以上のごとくになしたゆえに、上記の課題を解決して以下のごとき多大な効果が生じた。すなわち、図２と表１に示したごとくに、その継続的な消臭効果が上がった。
【００２３】
さらには、この発明の消臭剤は細粒なので靴の中に使用の場合は、あたかも砂浜を素足で歩いているような刺激が得られて、健康によいものともなった。
【図面の簡単な説明】
【図１】本発明にかかる摩擦力等の動的外力が存在する箇所に用いる風化珊瑚利用の消臭剤の製造過程における一実施例のブロックダイアグラムを示したものである。
【図２】本発明の風化珊瑚利用の消臭剤を使用した場合の測定時間とその負イオン数を示したグラフである。
【符号の説明】
１  風化珊瑚砂利
２  焼成手段
３  微細粉砕手段
４  珊瑚消臭剤
４ａ  粉剤
４ｂ  液剤
0003874563.tif 000005
【図１】
0003874563.tif 000006
【図２】
0003874563.tif 000007